(57)【要約】      （修正有）【課題】チューブ搾り器を提供する。【解決手段】互いに設定された距離に離隔された第１回転部１１と第１回転部の一側の端部で第１回転部の離隔方向に延長された第１ハンドル部１２とを有する第１本体１０と、互いに設定された距離に離隔された第２回転部２１と第２回転部の一側の端部で第２回転部の離隔方向に延長された第２ハンドル部２２とを有し、第２回転部の他側の端部は、第１回転部の他側の端部に回転軸３０によって回転できるように結合される第２本体２０と、横方向が第１回転部の離隔方向に提供され、回転軸と第１ハンドル部との間の区間に位置されるように第１ハンドル部に回転できるように結合される第１ローラー１５と、横方向が第２回転部の離隔方向に提供され、回転軸と第２ハンドル部との間の区間に位置されるように第２ハンドル部に回転できるように結合され、回転軸との離隔距離が第１ローラーと異なるように提供される第２ローラー２５と、を含む。【選択図】図１
0003216024.tif 000002
【実用新案登録請求の範囲】
【請求項１】
互いに設定された距離に離隔された第１回転部と前記第１回転部の一側の端部で前記第１回転部の離隔方向に延長された第１ハンドル部とを有する第１本体と、
互いに設定された距離に離隔された第２回転部と前記第２回転部の一側の端部で前記第２回転部の離隔方向に延長された第２ハンドル部とを有し、第２回転部の他側の端部は、前記第１回転部の他側の端部に回転軸によって回転できるように結合される第２本体と、
横方向が前記第１回転部の離隔方向に提供され、前記回転軸と前記第１ハンドル部との間の区間に位置されるように前記第１ハンドル部に回転できるように結合される第１ローラーと、
横方向が前記第２回転部の離隔方向に提供され、前記回転軸と前記第２ハンドル部との間の区間に位置されるように前記第２ハンドル部に回転できるように結合され、前記回転軸との離隔距離が前記第１ローラーと異なるように提供される第２ローラーと、を含むチューブ搾り器。
【請求項２】
前記第１ローラーの軸と前記第２ローラーの軸とは、前記第１ハンドル部と前記第２ハンドル部とが隣接するように位置された時、前記第１回転部と前記第２回転部との整列方向に対して１０°乃至４５°傾斜をなす請求項１に記載のチューブ搾り器。
【請求項３】
前記第１ローラーの軸の端部に位置される第１連動ギヤと、
前記第２ローラーの軸の端部に位置される第２連動ギヤと、をさらに含む請求項１に記載のチューブ搾り器。
【考案の詳細な説明】
【技術分野】
【０００１】
本考案は、チューブ搾り器に関する。
【背景技術】
【０００２】
内容物が入っているチューブを搾ることには、チューブ搾り器が利用されることができる。チューブ搾り器は、韓国実用新案登録第２０−０２５０６１６号でのように２つのローラーが提供されて、ローラーの間にチューブ容器を通過させて内容物を搾る構造を有する。
【考案の概要】
【考案が解決しようとする課題】
【０００３】
本考案は、使用の便宜性が向上されたチューブ搾り器を提供するためのことである。
【課題を解決するための手段】
【０００４】
本考案の一実施形態によれば、互いに設定された距離に離隔された第１回転部と前記第１回転部の一側の端部で前記第１回転部の離隔方向に延長された第１ハンドル部とを有する第１本体と、互いに設定された距離に離隔された第２回転部と前記第２回転部の一側の端部で前記第２回転部の離隔方向に延長された第２ハンドル部とを有し、第２回転部の他側の端部は、前記第１回転部の他側の端部に回転軸によって回転できるように結合される第２本体と、横方向が前記第１回転部の離隔方向に提供され、前記回転軸と前記第１ハンドル部との間の区間に位置されるように前記第１ハンドル部に回転できるように結合される第１ローラーと、横方向が前記第２回転部の離隔方向に提供され、前記回転軸と前記第２ハンドル部との間の区間に位置されるように前記第２ハンドル部に回転できるように結合され、前記回転軸との離隔距離が前記第１ローラーと異なるように提供される第２ローラーと、を含むチューブ搾り器が提供されることができる。
【０００５】
また、前記第１ローラーの軸と前記第２ローラーの軸とは、前記第１ハンドル部と前記第２ハンドル部とが隣接するように位置された時、前記第１回転部と前記第２回転部との整列方向に対して１５°乃至４０°の傾斜をなすことができる。
【０００６】
また、前記第１ローラーの軸の端部に位置される第１連動ギヤ、及び前記第２ローラーの軸の端部に位置される第２連動ギヤをさらに含むことができる。
【考案の効果】
【０００７】
本考案の一実施形態によれば、使用の便宜性が向上されたチューブ搾り器が提供されることができる。
【図面の簡単な説明】
【０００８】
【図１】本考案の一実施形態によるチューブ搾り器の斜視図である。
【図２】第１本体及び第２本体が相対的に回転される状態を示す図面である。
【図３】チューブ搾り器が使用される状態を示す図面である。
【図４】ローラーの軸が本体に加える力を示す図面である。
【図５】他の実施形態によるチューブ搾り器を示す図面である。
【考案を実施するための形態】
【０００９】
以下、本考案の実施形態を添付された図面を参照してさらに詳細に説明する。
本考案の実施形態は、様々な形態に変形され得り、本考案の範囲が以下の実施形態に限定されることとして解釈されてはならない。本実施形態は、当業界で平均的な知識を有する者に本考案をさらに完全に説明するために提供されることである。したがって、図面での要素の形状は、より明確な説明を強調するために誇張されている。
【００１０】
図１は、本考案の一実施形態によるチューブ搾り器の斜視図である。
【００１１】
図１を参照すれば、チューブ搾り器１は、第１本体１０、第２本体２０を含む。
【００１２】
第１本体１０は、第１回転部１１及び第１ハンドル部１２を含む。第１回転部１１は、互いに設定された距離に離隔されたロード形状に提供される。第１回転部１１の一側の端部は、第１回転部１１の離隔方向に延長された第１ハンドル部１２によって互いに連結される。
【００１３】
第２本体２０は、第２回転部２１及び第２ハンドル部２２を含む。第２回転部２１は、互いに設定された距離に離隔されたロード形状に提供される。第２回転部２１の一側の端部は、第２回転部２１の離隔方向に延長された第２ハンドル部２２によって互いに連結される。
【００１４】
図２は、第１本体及び第２本体が相対的に回転される状態を示す図面である。
【００１５】
図２を参照すれば、第２回転部２１の他側の端部は、各々の横方向が第２回転部２１の離隔方向に提供される回転軸３０によって第１回転部１１に回転できるように連結される。第２本体２０は、第１本体１０に対応される大きさに提供される。したがって、第１本体１０及び第２本体２０の回転軸３０の他側が互いに隣接するように回転されれば、第１ハンドル部１２及び第２ハンドル部２２は、使用者が片手で掴むように互いに隣接して位置される。
【００１６】
第１本体１０及び第２本体２０には、各々の第１ローラー１５及び第２ローラー２５が位置される。
【００１７】
第１ローラー１５は、その横方向が第１回転部１１の離隔方向に向かうように、第１本体１０に回転できるように提供される。第１ローラー１５は、第１ハンドル部１２と回転軸３０との間の区間に位置されるように提供される。第１ローラー１５の外面には、その横方向が第１ローラー１５の横方向に提供される突起が形成される。また、第１ローラー１５は、円筒形状に提供される。
【００１８】
第２ローラー２５は、その横方向が第２回転部２１の離隔方向に向かうように、第２本体２０に回転できるように提供される。第２ローラー２５は、第２ハンドル部２２と回転軸３０との間の区間に位置されるように提供される。第２ローラー２５の外面には、その横方向が第２ローラー２５の横方向に提供される突起が形成される。また、第２ローラー２５は、円筒形状に提供されてもよい。
【００１９】
第１ローラー１５の軸１６（図４）と第２ローラー２５の軸２６（図４）とは、使用者がハンドル部１２、２２を掴む時、第１回転部１１と第２回転部２１との整列方向（以下、上下方向）を基準に傾斜（θ）を有するように提供される。即ち、第１ローラー１５と第２ローラー２５との中で１つは、他の１つに比べて回転軸３０に隣接して位置される。一例として、第１ローラー１５の軸１６と第２ローラー２５の軸２６とは、上下方向の直線に対して１０°乃至４５°の傾斜（θ）を成すことができる。
【００２０】
第１ローラー１５の軸と第２ローラー２５の軸との中で１つは、第１本体１０の側面又は第２本体２０の側面に位置されるノブ４０と連結される。
【００２１】
図３は、チューブ搾り器が使用される状態を示す図面である。
【００２２】
図３を参照すれば、使用者は、チューブＴを第１ローラー１５と第２ローラー２５との間に位置させた後、片手で第１ハンドル部１２及び第２ハンドル部２２を掴む。そして、使用者は、他の片手でノブ４０を回して、第１ローラー１５と第２ローラー２５とを回転させる。これによって、チューブＴは、第１ローラー１５と第２ローラー２５との間を移動しながら、内容物を搾り出す。第１ローラー１５の軸１６と第２ローラー２５の軸２６とが傾くように提供されることによって、チューブＴは、回転部１１、２１に対して傾いた方向に移動されて、使用者の手と干渉を生じることが防止される。
【００２３】
また、使用者は、チューブＴを搾る過程で、チューブＴの入口が地面に向かうように調節することができるので、内容物の落下位置を正確に調節することができる。
【００２４】
図４は、ローラーの軸が本体に加える力を示す図面である。
【００２５】
図４を参照すれば、ローラー１５、２５は、その軸１６、２６の離隔方向に互いに力を加える。これによって、各々の軸１６、２６は、軸１６、２６の離隔方向に本体１０、２０に力Ｆを加える。この時、回転部１１、２１の横方向の成分Ｆ１は、本体１０、２０の破損を引き起こさないので、本体１０、２０の破損を引き起こす方向の成分Ｆ２の大きさが減少される。
【００２６】
図５は、他の実施形態によるチューブ搾り器を示す図面である。
【００２７】
図５を参照すれば、チューブ搾り器２は、第１本体５０、第２本体６０、第１ローラー５５、及び第２ローラー６５を含む。
【００２８】
第１ローラー５５の軸５６の端部には、第１連動ギヤ５７が提供される。そして、第２ローラー６５の軸６６の端部には、第１ハンドル部１２と第２ハンドル部２２とが隣接するように位置される時、第１連動ギヤ５７とかみ合って回転される第２連動ギヤ６７が提供される。したがって、使用者が第１ローラー５５の軸５６又は第２ローラー６５の軸６６に連結されたノブ７０を回転させれば、効率的に第１ローラー５５と第２ローラー６５とを回転させることができる。
【００２９】
第１連動ギヤ５７と第２連動ギヤ６７の以外に、第１本体５０、第２本体６０、第１ローラー５５、及び第２ローラー６５の構成は、図１のチューブ搾り器１と同一又は類似であるので反複された説明は、省略する。
【００３０】
以上の詳細な説明は、本考案を例示することに過ぎない。また、前述した内容は、本考案の望ましい実施形態を示して説明することであり、本考案は、多様な他の組合、変更、及び環境で使用することができる。即ち、本明細書に開示された考案の概念の範囲、前述した開示の内容と均等な範囲及び／又は当業界の技術又は知識の範囲内で変更又は修正が可能である。前述した実施形態は、本考案の技術的思想を具現するための最善の状態を説明することであり、本考案の具体的な適用分野及び用途で要求される多様な変更も可能である。したがって、以上の考案の詳細な説明は、開示された実施状態に本考案を制限しようとすることでない。また、添付された請求の範囲は、他の実施状態も含むこととして解釈されなければならない。
【図１】
0003216024.tif 000003
【図２】
0003216024.tif 000004
【図３】
0003216024.tif 000005
【図４】
0003216024.tif 000006
【図５】
0003216024.tif 000007